(57)【要約】【課題】イベント設定情報にダミー情報を設定しなくても、所望のコンテンツ切り替え制御が可能で、イベント設定情報の作成が簡易な放送制御システムを提供する。【解決手段】データサーバ２０において、実際にスイッチャ５０を切り替え制御する必要のあるＮｅｔ−Ｑ信号についてのみ、対応するイベント設定情報を作成しておき、そしてＡＰＣ３０がキー局から受信したＮｅｔ−Ｑ信号の識別情報を参照して、該当するイベントが上記イベント設定情報に存在するか否かを判定し、存在する場合に限り、対応するイベントを上記イベント設定情報にしたがって実行し、スイッチャ５０の切り替え制御を行うようにしたものである。【選択図】    図１
2004289538.tif 000002
【特許請求の範囲】
【請求項１】
他の放送局から送出された放送コンテンツを部分的に切り替えて放送する放送制御システムにおいて、
前記放送局から送出された放送コンテンツに基づくマルチメディア信号を含む複数のマルチメディア信号が入力され、これらの信号を選択的に出力する選択出力手段と、
前記放送局から送られるトリガ信号の識別情報と、前記選択出力手段の切り替え制御にかかわるイベント情報とを対応づけたイベント設定情報を記憶する記憶手段と、
前記放送局からトリガ信号を受信した場合に、前記記憶手段が記憶するイベント設定情報を参照し、前記トリガ信号の識別情報に対応づけられたイベント情報に基づいて、前記選択出力手段を切り替え制御する制御手段とを具備することを特徴とする放送制御システム。
【請求項２】
他の放送局から送出された放送コンテンツを部分的に切り替えて放送する放送制御方法において、
前記放送局から送られるトリガ信号の識別情報と、イベント情報とを対応づけたイベント設定情報を記憶する記憶工程と、
前記放送局からトリガ信号を受信した場合に、前記記憶工程手段で記憶したイベント設定情報を参照し、前記トリガ信号の識別情報に対応づけられたイベント情報に基づいて、前記放送局から送出された放送コンテンツに基づくマルチメディア信号を含む複数のマルチメディア信号のうち、いずれかを選択的に出力する選択出力工程とを具備することを特徴とする放送制御方法。
【発明の詳細な説明】
【０００１】
【発明の属する技術分野】
この発明は、例えば地方の放送局において、キー局から送出される放送コンテンツを部分的に切り替えて放送する放送制御システムに関する。
【０００２】
【従来の技術】
周知のように、例えば地方の放送局においては、キー局から送出される放送コンテンツを部分的に切り替えて放送することがある。これは、例えば放送地域に対応させるために、ＣＭコンテンツや番組コンテンツを切り替えるためである。
【０００３】
このような放送コンテンツの切り替え制御は、予め各地方局において作成しておいたイベント設定情報にしたがい、キー局から与えられるＮｅｔ−Ｑ信号をトリガにして実施される。
【０００４】
そして、従来の放送制御システムでは、キー局から与えられるＮｅｔ−Ｑ信号をトリガとしてコンテンツの切り替え制御などを行うため、キー局から送出される放送コンテンツを切り替えるか否かにかかわらず、キー局から与えられるＮｅｔ−Ｑ信号すべてに対応するようにイベント設定情報を作成する必要がある。
【０００５】
しかしながら、実際には、キー局と共通のＣＭコンテンツや番組コンテンツを放送することもあり、この場合には、トリガとして与えられるＮｅｔ−Ｑ信号に対応するイベント設定としてダミー情報を設定する必要があり、イベント設定情報を作成する上で大変手間のかかるものとなっていた。
【０００６】
【発明が解決しようとする課題】
従来の放送制御システムでは、キー局と共通のＣＭコンテンツや番組コンテンツを放送することもあり、この場合には、トリガとして与えられるＮｅｔ−Ｑ信号に対応するイベント設定としてダミー情報を設定する必要があり、イベント設定情報を作成する上で大変手間のかかるという問題があった。
【０００７】
この発明は上記の問題を解決すべくなされたもので、イベント設定情報にダミー情報を設定しなくても、所望のコンテンツ切り替え制御が可能で、イベント設定情報の作成が簡易な放送制御システムを提供することを目的とする。
【０００８】
【課題を解決するための手段】
上記の目的を達成するために、この発明は、他の放送局から送出された放送コンテンツを部分的に切り替えて放送する放送制御システムにおいて、放送局から送出された放送コンテンツに基づくマルチメディア信号を含む複数のマルチメディア信号が入力され、これらの信号を選択的に出力する選択出力手段と、放送局から送られるトリガ信号の識別情報と、選択出力手段の切り替え制御にかかわるイベント情報とを対応づけたイベント設定情報を記憶する記憶手段と、放送局からトリガ信号を受信した場合に、記憶手段が記憶するイベント設定情報を参照し、トリガ信号の識別情報に対応づけられたイベント情報に基づいて、選択出力手段を切り替え制御する制御手段とを具備して構成するようにした。
【０００９】
またこの発明では、他の放送局から送出された放送コンテンツを部分的に切り替えて放送する放送制御方法において、放送局から送られるトリガ信号の識別情報と、イベント情報とを対応づけたイベント設定情報を記憶する記憶工程と、放送局からトリガ信号を受信した場合に、記憶工程手段で記憶したイベント設定情報を参照し、トリガ信号の識別情報に対応づけられたイベント情報に基づいて、放送局から送出された放送コンテンツに基づくマルチメディア信号を含む複数のマルチメディア信号のうち、いずれかを選択的に出力する選択出力工程とを具備して構成するようにした。
【００１０】
上記構成の放送制御システムおよび放送制御方法では、放送局から送られるトリガ信号の識別情報と、イベント情報とを対応づけたイベント設定情報を記憶しておき、放送局からトリガ信号を受信した場合に、上記イベント設定情報を参照し、トリガ信号の識別情報に対応づけられたイベント情報に基づいて、放送局から送出された放送コンテンツに基づくマルチメディア信号を含む複数のマルチメディア信号のうち、いずれかを選択的に出力するようにしている。
【００１１】
したがって、従来のようにトリガ信号毎にイベント設定をした場合には、不要なイベントにはダミー情報を設定する必要があったのに対して、この発明によれば、ダミー情報を設定しなくても、所望のコンテンツ切り替え制御が可能で、イベント設定情報の作成も簡易なものとすることができる。
【００１２】
【発明の実施の形態】
以下、図面を参照して、この発明の一実施形態について説明する。
図１は、この発明の一実施形態に係わる放送制御システムの構成を示すものである。
【００１３】
放送制御システムは、入力装置１，２、ＥＤＰＳ（Ｅｌｅｃｔｒｏｎｉｃ  Ｄａｔａ  Ｐｒｏｃｅｓｓｉｎｇ  Ｓｙｓｔｅｍ）１０、データサーバ（ＤＳ）２０、ＡＰＣ（Ａｕｔｏｍａｔｉｃ  Ｐｒｏｇｒａｍ  Ｃｏｎｔｒｏｌｌｅｒ）３０、ＶＴＲ４０、スイッチャ（ＳＷｅｒ）５０、エンコード部６０、ミキサ（ＭＵＸ）７０、変調器（ＯＦＤＭ）８０を備える。
【００１４】
ＥＤＰＳ１０は、入力装置１を通じてオペレータから入力される情報にしたがって、放送する番組の編成情報を作成するための編集機能を備えたシステムである。
【００１５】
データサーバ２０は、上記ＥＤＰＳ１０にて作成された編成情報と、入力装置２を通じてオペレータから入力される指示にしたがって、イベント設定情報を作成し、この情報をＡＰＣ３０に出力する。
【００１６】
ＡＰＣ３０は、当該放送制御システムの各部を統括して制御するものであって、ＶＴＲ４０の駆動制御などの他に、外部に設置された原子時計から入力される時刻情報と上記イベント設定情報とに基づいて、キー局から受信したＮｅｔ−Ｑ信号をトリガとしてスイッチャ５０を切り替え制御する。なお、ＡＰＣ３０は、記憶部を備えており、ここにデータサーバ２０から取得したイベント設定情報を記憶する。
【００１７】
ＶＴＲ４０は、ＡＰＣ３０の制御にしたがって、テープメディアに記録されたＣＭコンテンツや番組コンテンツをマルチメディア信号としてスイッチャ５０に出力するものである。
【００１８】
なお、上記マルチメディア信号は、少なくとも音声と映像の情報を有するものである。また上記テープメディアには、当該放送制御システムが設置される放送局が独自に準備したＣＭコンテンツが記録されている。
【００１９】
スイッチャ５０は、上記ＶＴＲ４０から出力されるマルチメディア信号や、キー局から受信した放送コンテンツのマルチメディア信号など、複数のマルチメディア信号が入力され、これらをＡＰＣ３０からの指示に従って選択的にエンコード部６０に出力するものである。
【００２０】
エンコード部６０は、複数のエンコーダ（ＥＮＣ）６１〜６ｎを備える。エンコーダ６１〜６ｎは、それぞれスイッチャ５０から出力されるマルチメディア信号をＡＰＣ３０からの指示に従ってエンコードし、ミキサ７０に出力する。
【００２１】
ミキサ７０は、エンコーダ６１〜６ｎから出力される信号をＡＰＣ３０からの指示に従ってミキシングし、変調器８０に出力する。
変調器８０は、ミキサ７０の出力を用いてＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ）によるディジタル変調を行い、放送信号を生成する。
【００２２】
次に、上記構成の放送制御システムの動作について説明する。ここでは、ＥＤＰＳ１０において、図２に示すような編成情報が作成された場合を例に挙げて説明する。
【００２３】
この図に示す編成情報は、Ｎ１（番組）およびＮ１（ＣＭ）はキー局から送られる放送コンテンツを用いて放送を行うことを示しており、ＣＭ（ＣＭ）については当該放送制御システムが設置される放送局が独自に準備したＣＭコンテンツを用いて放送することを示している。
【００２４】
このような編成情報にしてがって、データサーバ２０では、入力装置２を通じてオペレータからの指示により、図３に示すようなイベント設定情報が作成される。
【００２５】
この図に示すイベント設定情報は、以下のようなイベントが設定される。すなわち、イベントＩ（１）は、午前１０時００分００秒において、キー局から受信した放送コンテンツＮ１を用いた放送を開始することを示す。
【００２６】
そして、イベントＩ（２）は、キー局から受信したＮｅｔ−Ｑ信号がＱ（０２）の場合に、当該放送制御システムが設置される放送局が独自に準備したＣＭコンテンツを放送を開始することを示す。
【００２７】
そしてまた、イベントＩ（３）は、前段のイベントＩ（２）で開始したＣＭコンテンツの放送を、１分間継続した後、放送コンテンツＮ１を用いた放送を再開することを示す。
【００２８】
このようなイベント設定情報が作成されると、この情報と時刻情報とにしたがってＡＰＣ３０は、イベントＩ（１）にしたがって、午前１０時００分００秒にキー局から受信した放送コンテンツＮ１を用いた放送を開始できるように、スイッチャ５０を切り替え制御して、キー局から受信した放送コンテンツＮ１をエンコーダ６１に選択出力させる。
【００２９】
これによりエンコーダ６１は、上記放送コンテンツＮ１をエンコードし、ミキサ７０において必要に応じて他の情報とミキシングされ、変調器８０にて変調に用いられて放送信号が生成される。
【００３０】
やがて、ＡＰＣ３０に、キー局からＮｅｔ−Ｑ信号としてＱ（０１）を受信すると、この信号の識別情報に対応するイベント設定が上記イベント設定情報になされていないため、この信号をトリガとするイベントは実行しない。
【００３１】
そしてその後、ＡＰＣ３０に、キー局からＮｅｔ−Ｑ信号としてＱ（０２）を受信すると、この信号の識別情報に対応するイベント設定が上記イベント設定情報になされていることより、この信号をトリガとするイベントを実行する。
【００３２】
すなわち、キー局から受信したＮｅｔ−Ｑ信号がＱ（０２）の場合には、ＶＴＲ４０の駆動制御して、ＶＴＲ４０のテープメディアに記録されたＣＭコンテンツのマルチメディア信号をスイッチャ５０に出力させるとともに、スイッチャ５０を切り替え制御して、上記ＣＭコンテンツをエンコーダ６１に選択出力させる。
【００３３】
これによりエンコーダ６１は、上記ＣＭコンテンツをエンコードし、ミキサ７０において必要に応じて他の情報とミキシングされ、変調器８０にて変調に用いられて放送信号が生成される。
【００３４】
このようにして、Ｎｅｔ−Ｑ信号に基づく制御を実施したＡＰＣ３０は、イベント設定情報を参照し、つづくイベントＩ（３）にしたがって、前段のイベントＩ（２）で開始したＣＭコンテンツの放送を、１分間継続した後、放送コンテンツＮ１を用いた放送を再開する。
【００３５】
すなわち、上記ＣＭコンテンツの放送を１分間継続した後には、キー局から受信した放送コンテンツＮ１を用いた放送を開始できるように、スイッチャ５０を切り替え制御して、上記放送コンテンツＮ１をエンコーダ６１に選択出力させる。
【００３６】
これによりエンコーダ６１は、上記放送コンテンツＮ１をエンコードし、ミキサ７０において必要に応じて他の情報とミキシングされ、変調器８０にて変調に用いられて放送信号が生成される。
【００３７】
以上のように、上記構成の放送制御システムでは、データサーバ２０において、実際にスイッチャ５０を切り替え制御する必要のあるＮｅｔ−Ｑ信号についてのみ、対応するイベント設定情報を作成しておき、そしてＡＰＣ３０がキー局から受信したＮｅｔ−Ｑ信号の識別情報を参照して、該当するイベントが上記イベント設定情報に存在するか否かを判定し、存在する場合に限り、対応するイベントを上記イベント設定情報にしたがって実行し、スイッチャ５０の切り替え制御を行うようにしている。
【００３８】
このため、従来は上記実施例で詳述した動作を行う場合には、図４に示すように、キー局から与えられるＮｅｔ−Ｑ信号Ｑ（０１）に対応させてダミー情報を設定する必要があったが、当該放送制御システムによれば、上記Ｎｅｔ−Ｑ信号Ｑ（０１）は無視されるので、ダミー情報を設定する必要がない。
【００３９】
したがって、上記構成の放送制御システムによれば、イベント設定情報にダミー情報を設定しなくても、所望のコンテンツ切り替え制御が可能で、イベント設定情報の作成も簡易なものとすることができる。
【００４０】
尚、この発明は上記実施の形態に限定されるものではない。
例えば、上記実施の形態では、番組コンテンツとＣＭコンテンツとを切り替える場合の動作を例に挙げて説明したが、これに代わって例えば、番組コンテンツと番組コンテンツを切り替えて制御したり、あるいはＣＭコンテンツとＣＭコンテンツを切り替えて制御することも可能であって、コンテンツの種別に限定されるものではない。
その他、この発明の要旨を逸脱しない範囲で種々の変形を施しても同様に実施可能であることはいうまでもない。
【００４１】
【発明の効果】
以上述べたように、この発明では放送局から送られるトリガ信号の識別情報と、イベント情報とを対応づけたイベント設定情報を記憶しておき、放送局からトリガ信号を受信した場合に、上記イベント設定情報を参照し、トリガ信号の識別情報に対応づけられたイベント情報に基づいて、放送局から送出された放送コンテンツに基づくマルチメディア信号を含む複数のマルチメディア信号のうち、いずれかを選択的に出力するようにしている。
【００４２】
したがって、従来のようにトリガ信号毎にイベント設定をした場合には、不要なイベントにはダミー情報を設定する必要があったのに対して、この発明によれば、ダミー情報を設定しなくても、所望のコンテンツ切り替え制御が可能で、イベント設定情報の作成も簡易なものとすることが可能な放送制御システムおよび放送制御方法を提供できる。
【図面の簡単な説明】
【図１】この発明に係わる放送制御システムの一実施形態の構成を示す回路ブロック図。
【図２】図１に示した放送制御システムのＥＤＰＳ１０にて作成される編成情報の一例を示す図。
【図３】図２に示した編成情報に基づいてデータサーバ２０にて作成されるイベント設定情報の一例を示す図。
【図４】従来の放送制御システムで用いられるイベント設定情報の一例を示す図。
【符号の説明】
１…入力装置、２…入力装置、１０…ＥＤＰＳ、２０…データサーバ（ＤＳ）、３０…ＡＰＣ、４０…ＶＴＲ、５０…スイッチャ（ＳＷｅｒ）、６０…エンコード部、６１〜６ｎ…エンコーダ（ＥＮＣ）、７０…ミキサ（ＭＵＸ）、８０…変調器（ＯＦＤＭ）。
【図１】
2004289538.tif 000003
【図２】
2004289538.tif 000004
【図３】
2004289538.tif 000005
【図４】
2004289538.tif 000006